(57)【要約】【課題】  ユーザが意図した解放要求が確実に認識されて、引出しが確実に解放される家具を提供する。【解決手段】  家具は、家具本体５と、家具本体の内部で閉状態となる停止位置から更に所定の方向に向かって所定の距離だけ移動できるように支持されている引出し３と、トリガーユニット１によって動作を引き起こす引出し用駆動ユニットとを備えている。トリガーユニット１は家具本体５の幅のほぼ二分の一に位置する箇所で、家具本体２と引出し５との間に配置されている。家具本体５に、ばねバッファ２が設けられている。このばねバッファ２は、引出し３が、閉状態となる停止位置から、ばねバッファ２に抗して家具本体５の所定の方向に移動し得るように配置されている。【選択図】  図３ｂ
0003122925.tif 000002
【実用新案登録請求の範囲】
【請求項１】
家具本体と、家具本体の内部で、閉状態となる停止位置から、更に家具本体の所定の方向に所定の距離だけ移動し得るようにして支持されている引出しと、トリガーユニットによって動作を引き起こす引出し用駆動ユニットとを備えており、前記トリガーユニットが、家具本体の幅のほぼ二分の一に位置する箇所で、家具本体と引出しとの間に配置されている家具であって、
当該家具には、少なくとも１つのばねバッファ（２）が設けられており、引出し（３）はその閉状態となる停止位置から、前記ばねバッファ（２）に抗して、家具本体（５）の所定の方向に移動できるように、前記ばねバッファ（２）が前記家具本体（５）と前記引出し（３）とに対して配置されていることを特徴とする家具。
【請求項２】
トリガーユニット（１）は、家具本体（５）に取付けられていることを特徴とする請求項１に記載の家具。
【請求項３】
少なくとも１つのばねバッファ（２）が、家具本体（５）の前面に配置されていることを特徴とする請求項１又は２に記載の家具。
【請求項４】
家具本体（５）の前面の両端側に、それぞれ１個のばねバッファ（２）が配置されていることを特徴とする請求項３に記載の家具。
【請求項５】
引出し（３）は、当該引出し（３）が閉状態となる停止位置に位置する際に、少なくとも１個のばねバッファ（２）に接するように形成された前板（４）を備えていることを特徴とする請求項３又は４に記載の家具。
【請求項６】
家具本体（５）の両端側に、所定の距離を押し込むことのできるばねバッファ（２）がそれぞれ1個ずつ配置されており、当該ばねバッファ（２）の両方が、所定の距離のほぼ二分の一だけ引出し（３）によって押し込まれた場合、又は当該ばねバッファ（２）の少なくとも一方が、引出し（３）によって、押し込むことのできる所定の距離の全量押し込まれた場合に、トリガーユニットが動作するようにしたことを特徴とする請求項１に記載の家具。
【考案の詳細な説明】
【技術分野】
【０００１】
本考案は、家具に関する。特に、家具本体と、閉状態となる停止位置から、更に家具本体の所定の方向に所定の距離だけ移動し得るようにして支持されている引出しと、トリガーユニットによって動作を引き起こす引出し用駆動ユニットとを備えており、トリガーユニットが、基本的に家具本体の幅のほぼ二分の一に位置する箇所で、家具本体と引出しとの間に配置されている家具に関する。
【背景技術】
【０００２】
ほとんどの場合に、取っ手なしで形成された引出しを備えるこの種の家具は、家具本体内の引出しを、閉状態の停止位置から、少なくとも部分的に移動できるように支援することが可能になっている。トリガーユニットによる開放は、閉状態の停止位置にある引出しを、家具本体の所定の方向に向かって更に押し込むことによって行われる。
【０００３】
この種の家具における問題は、従来のトリガーユニットが、引出しがトリガーユニットの方向に向かって一定距離だけ移動された時に、初めて越えることのできる一定の解放しきい値を有しており、しかも、ユーザが引出し前板を押した箇所によっては、トリガーユニットが、ユーザによって引出し前板が家具本体に押し込まれた距離の一部しか、感知できないことである。
【考案の開示】
【考案が解決しようとする課題】
【０００４】
本考案の目的は、冒頭に述べたような家具の問題点を改良して、ユーザによって意図された解放要求が、確実に認識されるようにすることである。
【課題を解決するための手段】
【０００５】
前記課題は請求項１に記載の特徴を有する家具によって解決される。
【０００６】
トリガーユニットを家具本体の幅のほぼ二分の一に位置する箇所に配置することにより、引出しは、ユーザによって加えられた押込みストロークの少なくとも半分の距離だけは、引出しの幅とは無関係に、トリガーユニットに向かって前進することが保証される。例えば、ユーザが、引出し前板の中央を押して、引出し前板がそれによってストロークｘだけ家具本体内部に向かって移動した場合には、引出しの背壁もストロークｘだけトリガーユニットに向かって前進するという最適な状況が生ずる。又、ユーザが、引出し前板を正面から見て、前板の左端または右端を押す場合には、引出しは片側に傾くこととなり、その結果、引出し前板は押し込まれた一方の端部でストロークｘだけ家具本体内部に前進するが、他方、引出し前板の反対側の端部は不動である。ただし、請求項１に記載された配置により、引出しはその背壁を以ってストロークｘ／２だけトリガーユニットに向かって前進することが保証される。
【０００７】
少なくとも１つのばねバッファを、引出しが、閉状態となる停止位置からばねバッファに抗して家具本体の所定の方向に移動し得るように、家具本体と引出しとに対して配置することにより、引出しが、閉状態となる停止位置から、ばねバッファの押込み可能距離によって所定のストロークだけ家具本体の所定の方向に向かって更に移動し得るようにすることができる。言い換えると、これによって、先にｘで表した押し込み深度に関する一定の値が定められることとなる。
【０００８】
トリガーユニットは家具本体または引出しに取付けられていることが好ましい。特に好ましいのは家具本体に取り付けられていることである。
【０００９】
少なくとも１つのばねバッファが家具本体の前面に配置されていることが好ましい。更に好ましくは、家具本体の前面の両側にそれぞれ１個のばねバッファが配置されていてよい。こうした場合には、更に、引出しは、引出しが閉状態となる停止位置に位置する際に少なくとも１個のばねバッファに接するように形成された前板を有しているのが有利である。
【００１０】
更に好ましくは、所定の距離を押し込むことのできるばねバッファが、家具本体の両端側に、それぞれ1個ずつ配置される。そして、ばねバッファの両方が、引出しによって押し込むことのできる所定の距離のほぼ二分の一だけ押し込まれた場合、又は当該ばねバッファの少なくとも一方が、引出しによって押し込むことのできる所定の距離の全量押し込まれた場合に、トリガーユニットが動作するように設定される。
【００１１】
駆動ユニットを、適切な手段、例えば歯付きベルトを介して引出しをその開閉動作時に、家具本体から引き出したり家具本体内に引き戻したりすることのできるモータで構成することができる。ただし駆動ユニットは、引出しを、家具本体内の閉状態となる停止位置から押し出すことにのみ適した押出し装置の形で形成されていてもよい。
【００１２】
トリガーユニットは、独立した部品として設けられていてもよく、また駆動ユニットと構造的に一体に形成されていてもよい。例えば、駆動ユニットを１本のレバーを有する押出し装置として形成する場合には、トリガーユニットはレバー自体によって形成されるようにすることができる。
【００１３】
原理的に、トリガーユニットは非接触でも機能することが可能である。その種の一例と考えられるのは、光学式または誘導形の近接センサである。本考案は、取っ手のない引出しを有した家具に限定されるものではなく、取っ手を備えた引出しにも等しく及ぶものであることは言うまでもない。
【考案を実施するための最良の形態】
【００１４】
本考案のその他の利点および詳細は、以下の図面ならびに図面の説明から明らかとなろう。
【００１５】
図１は、３つの引出しを内蔵した家具本体５からなる家具を示したものである。家具本体５は、高さＨ、幅Ｂならびに奥行Ｔを有している。
【００１６】
図２に示したように、家具本体５には家具本体の幅Ｂのほぼ半分Ｂ／２に位置する箇所にトリガーユニット１が取付けられている。加えて更に、ばねバッファ２が独立した部品として設けられている。引出し３を図２に示した閉状態となる停止位置から、家具本体５の方向に更に押し込むことにより、押出し装置のレバー自体によって形成されたトリガーユニット１が引出し３の背壁によって作動させられる。これによって押出しプロセスが開始されて、押出し装置のレバーが家具部品３を家具本体５内におけるその閉状態となる停止位置から押し出すことになる。
【００１７】
図３ａは本考案による家具の更に別途実施例を示したものであり、同図において駆動ユニットは図示されていない。この場合、トリガーユニット１は、本考案により家具本体５の幅Ｂの半分Ｂ／２に位置する箇所に配置された独立した部品として設けられている。この実施例において、家具本体５の前面の両側にはそれぞれ１個のばねバッファ２が配置されている。ばねバッファ２は、ストロークｘだけ押し込むことが可能である。ここで図３ａにおいて、ユーザが引出し３の前板４の中央部を押せば、引出し３と共にその前板４はまったく並進的にストロークｘだけ家具本体５内へ押し込まれることになる。この場合、引出し３の背壁はトリガーユニット１に向かって同じく全ストロークｘだけ前進することになる。
【００１８】
図３ｂは、図示されないユーザが引出し３の前板４の右側を押し込んだ場合の状況を示したものである。これによって、前板４の右側のみが、ばねバッファ２の押込みにより、ストロークｘだけ家具本体５内へ前進している。一方、引出し３の前板４の左側は不動のままである。同図から明らかなように、引出し３の背面はトリガーユニット１に向かってストロークｘ／２だけ前進している。
【００１９】
従って、閉状態となる停止位置で引出し３を家具本体５内へ更に押し込むことのできる押し込みストロークが、ばねバッファ２によって所定のストロークｘにほぼ決定されている場合には、トリガーユニット１のしきい値をおおよそｘ／２であるように設定すれば、本考案によるいずれの実施例についても十分であると言うことができよう。
【００２０】
図４ａと図４ｂから明らかなように、この原理は引出しの幅Ｂとは無関係である。
【図面の簡単な説明】
【００２１】
【図１】本考案による家具の概略的な斜視図である。
【図２】図１に示した家具の所定の高さ位置の横断面図である。
【図３ａ】他の実施例の家具の所定の高さ位置の横断面図である。
【図３ｂ】他の実施例の家具の所定の高さ位置の横断面図である。
【図４ａ】更に他の実施例の家具の所定の高さ位置の横断面図である。
【図４ｂ】更に他の実施例の家具の所定の高さ位置の横断面図である。
【符号の説明】
【００２２】
１  トリガーユニット
２  ばねバッファ
３  引出し
４  前板
５  家具本体
【図１】
0003122925.tif 000003
【図２】
0003122925.tif 000004
【図３ａ】
0003122925.tif 000005
【図３ｂ】
0003122925.tif 000006
【図４ａ】
0003122925.tif 000007
【図４ｂ】
0003122925.tif 000008